(57)【要約】 【課題】本考案は首が疲れず、ウエストのサイズを気にせず着用できると共にずれにくく、且つ極めて簡単に着用が可能となる水作業用肩掛けエプロンを提供することを目的とする。【解決手段】胸から膝下まで覆う防水性のエプロン本体１の上辺部11両側に紐掛輪２を取付け、エプロン本体１の両脇下曲線部12,13の下部にゴム紐３を取付け、該ゴム紐３の先端にオス係止部51とメス係止部52から成す係止部５を設けると共にゴム紐３の後端を紐掛輪６が介在されて設け、且つ両脇下曲線部12,13の下端部に面ファスナー４を取付け、更に両脇下曲線部12,13に沿うと共にその裏側に吊下用紐輪７を取付けた構造とする。【選択図】図１
0003103612.tif 000002
【実用新案登録請求の範囲】
【請求項１】
胸から膝下まで覆う防水性のエプロン本体（１）の上辺部（11）両側に紐掛輪（２）を取付け、前記エプロン本体（１）の両脇下曲線部（12），（13）の下部にゴム紐（３）を取付け、且つ前記両脇下曲線部（12），（13）の下端部に面ファスナー（４）を設けたことを特徴とする水作業用肩掛けエプロン。
【請求項２】
前記エプロン本体（１）の材質が、ウレタンカラーコーティングのエプロン用基布であり、且つ前記上辺部（11）が湾曲に形成された請求項１記載の水作業用肩掛けエプロン。
【請求項３】
前記ゴム紐（３）の先端に、オス係止部（51）とメス係止部（52）から成る係止部（５）を取付け、前記ゴム紐（３）の後端が紐掛輪（６）を介在して取付けられた請求項１記載の水作業用肩掛けエプロン。
【請求項４】
前記面ファスナー（４）が、オス部（41）とメス部（42）から成り、前記脇下曲線部（12）の下端部の裏面に前記オス部（41）が取付けられると共にそこから水平に突出され、前記脇下曲線部（13）の下端部の表面に前記メス部（42）が取付けられると共にそこから水平に突出された請求項１記載の水作業用肩掛けエプロン。
【請求項５】
前記両脇下曲線部（12），（13）に沿うと共にその裏側に吊下用紐輪（７）が取付けられた請求項１記載の水作業用肩掛けエプロン。
【考案の詳細な説明】
【技術分野】
【０００１】
本考案は重い鍋や釜を使用しながら学校や工場等の給食などが調理される際や、水を多く使用すると共に重量のある物を扱う作業が行われる場合に、衣服の汚れを防止すると共に防水のために着用する水作業用肩掛けエプロンに関する。
【背景技術】
【０００２】
一般に重い鍋や釜を使用しながら学校や工場等の給食などが調理される際や、水を多く使用すると共に重量のある物を扱う作業などが行われる場合に使用される胸から膝下までの長さがある厚手の水作業用肩掛けエプロンとしては、防水性を有したゴム製や合成樹脂製等のものが使用されている（図５参照）。この水作業用肩掛けエプロンは、エプロン本体（１）の上辺部（11）の一端には留金具が取付けられていると共に他端には、首に掛けるための首掛紐が取付けられ、前記エプロン本体（１）の両脇下曲線部（12），（13）の下端部には、エプロン本体（１）を胴部にフィットさせるための締付紐が取付けられた構造のものであった。又、胴部にサイズ調整手段を設けた水作業用肩掛けエプロンとして、登録実用新案第３０７２２３８号がある。このサイズ調整手段は、胴巻き部にその左右方向に沿って設けられた一端側端部に袋状の通し部と、この通し部内に挿入され、一端側端部が胴巻き部に固定され、他端側端部に開口部を通して外部に導出されたスピンドルと、このスピンドルの前記外側への導出部分に移動可能に係止された止め具とで構成され、前記止め具をスピンドルに沿って移動させてその位置を選択することによりスピンドルの固定端と止め具との区間のスピンドルの長さを変え、その区間に対応する胴巻き部の布地を伸縮させることによって、胴回りサイズの調整を可能としたものである。
【０００３】
しかしながら前記水作業用肩掛けエプロンを着用すると、そのエプロン本体（１）は厚手で重量があるため、この重量が首に常に加わり、首が疲れて肩凝りが起き易いものであった。またエプロン本体（１）の重量は留金具と首掛紐の取付部に負担となって加わり、前記首掛紐や留金具の取付部の布が伸びたり、切れたり、縫い目が解れ易くなるものであった。更に首掛紐をクロスさせたとしても首掛紐が布地であるため、肩から外れ易く、且つ落ち易いものであった。しかも前記エプロン本体（１）の両脇下曲線部（12），（13）の下端部に取付けた締付紐は、作業中に解けないように強めに締付ける必要があるため、一般に前側で締付紐をしっかりと結んで作業を行う場合が多く、このため、結び目が前側となり、物を抱えた時や台に物を載せて作業をする時に結び目が邪魔になる等の問題点があった。尚、この時、前記締付紐を後方で結ぶと、重量のあるエプロン本体（１）を着用して一日中作業が行われるため、エプロン本体（１）がずれ易くなって締付紐が解けてしまう恐れが生じるのである。
【０００４】
一方、登録実用新案第３０７２２３８号は、サイズ調整手段を特定したものであり、水作業用肩掛けエプロンとしては、紐を肩に掛けクロスさせて着用するが、上記同様に肩から紐が外れ易く、且つエプロンが落ち易いものであると共に紐や留金具の取付部の布が伸びたり、切れたり、縫い目が解れ易くなる等の問題点があった。
【特許文献１】登録実用新案第３０７２２３８号公報
【考案の開示】
【考案が解決しようとする課題】
【０００５】
本考案は首が疲れず、ウエストのサイズを気にせず着用できると共にずれにくく、且つ極めて簡単に着用が可能となる水作業用肩掛けエプロンを提供することを目的とする。
【課題を解決するための手段】
【０００６】
本考案は上記問題点を解消するために成されたものであり、つまり、胸から膝下まで覆う防水性のエプロン本体上辺部の両側に紐掛輪を取付け、エプロン本体の両脇下曲線部の下部にゴム紐を取付け、且つ両脇下曲線部の下端部に面ファスナーを設ける構造とする。またエプロン本体の材質として、ウレタンカラーコーティングのエプロン用基布を用い、且つ上辺部を湾曲させて形成すると良く、ゴム紐の先端にオス係止部とメス係止部から成す係止部を取付けると共にゴム紐の後端を紐掛輪が介在されて取付けると良い。又、面ファスナーを、オス部とメス部から成し、脇下曲線部の下端部一方の裏面にオス部を取付けると共にそこから水平に突出し、脇下曲線部の下端部の他方表面にメス部を取付けると共にそこから水平に突出させたものとしても良い。更に両脇下曲線部に沿うと共にその裏側に吊下用紐輪を取付けると良い。
【考案の効果】
【０００７】
請求項１のように胸から膝下まで覆う防水性のエプロン本体（１）の上辺部（11）両側に紐掛輪（２）を取付け、エプロン本体（１）の両脇下曲線部（12），（13）の下部にゴム紐（３）を取付け、且つ両脇下曲線部（12），（13）の下端部に面ファスナー（４）を設けることにより、首にエプロン本体（１）の重量が着用時に加わらず、肩で支持されるため、首の疲れが殆どなくなり、且つ肩に掛けた紐がゴム紐（３）であるため、従来の如き紐や留金具の取付部の布地に集中した負荷が掛からなくなり、布地が伸びたり、切れたり、縫い目が解れたりすることは殆どなくなると共に肩からゴム紐（３）が外れることもなくなるものとなる。又、従来の長い締付紐が不要であり、本考案はエプロン本体（１）の胴部後方に取付けた面ファスナー（４）を係止するだけで、エプロン本体（１）の着用が極めて簡単に且つ素早く行えると共にウエストのサイズを気にせず着用できるものとなった。しかも前側には紐の結び目やポケットなどがないため、作業に邪魔になるものがなくなり、見た目がスッキリしたものとなる。
【０００８】
請求項２のようにエプロン本体（１）の材質としてウレタンカラーコーティングのエプロン用基布を用いることにより、全体が軽くて丈夫になり、防水性が完全なものになると共に老化による変色が殆どなく、耐油性に優れ、機械油等には殆ど変色しないものとなる。更に寒冷下での作業にも適し、しかも抗菌防臭加工を基布に施してあるので、繊維上の菌の増殖を抑制し、防臭効果が得られる。また上辺部（11）を湾曲に形成することにより、エプロン本体（１）が首下近くまで覆うことができ、身体にフィットしたものとなる。
【０００９】
請求項３に示すようにゴム紐（３）の先端に、オス係止部（51）とメス係止部（52）から成る係止部（５）を取付けることにより、ゴム紐（３）の長さ調節が可能となる。またゴム紐（３）の後端が紐掛輪（６）を介在して取付けられることにより、ゴム紐（３）の自由度が確保されるため、捻れを防止でき、ゴム紐（３）がより一層ずれにくいものとなる。またクロスした襷掛けにしてもゴム紐（３）は捻れずに使用出来るものとなる。
【００１０】
請求項４に示すように面ファスナー（４）をオス部（41）とメス部（42）から成し、脇下曲線部（12）の下端部の裏面にオス部（41）を取付けると共にそこから水平に突出させ、脇下曲線部（13）の下端部の表面にメス部（42）を取付けると共にそこから水平に突出することにより、面ファスナー（４）の係止位置の調節が出来るため、ウエストのサイズを気にせず着用できるものとなった。また本考案はエプロン本体（１）の胴部後方（腹部より上部）の面ファスナー（４）を係止するため、腹部のサイズに対応するのではなく、胸部のサイズに対応するものであり、腹部より胸部のサイズの違いは少なく、且つ男女差も少なくなり、エプロン本体（１）はフリーサイズのものが簡単に製作出来るものとなる。
【００１１】
請求項５のように両脇下曲線部（12），（13）に沿うと共にその裏側に吊下用紐輪（７）を取付けることにより、エプロン本体（１）を折畳んで吊下させることが簡単にできるものとなるため、嵩張らずにロッカー等に収納でき、且つ着用する際にも取出しが簡単で着用が素早く行えるものとなる。
【考案を実施するための最良の形態】
【００１２】
図１は本考案の水作業用肩掛けエプロンの実施形態を示す図であり、これに基づき説明する。(１)は胸から膝下まで覆う防水性や耐熱性を有したエプロン本体であり、該エプロン本体（１）の上辺部（11）は湾曲してカットされ、その上辺部（11）から両側には脇下曲線部（12），（13）がカットされて且つ縫製される。また前記エプロン本体（１）の材質としては、軽くて丈夫で耐油性や耐寒性などの備わったものが好ましく、例えば、第一レース株式会社の商品名「ウレタンカラー」を用いるのが良い。これには上記以外の特性に、抗菌防臭加工が施されているので、繊維上の菌の増殖を抑制し、防臭効果が得られるものとなる。（２）はエプロン本体（１）の上辺部（11）両側に取付けたＤ形で樹脂製の紐掛輪であり、該紐掛輪（２）の下部はエプロン本体（１）と同じ布地を縫付けて取付けられている。また前記紐掛輪（２）は市販品を用いると良い。（３）はエプロン本体（１）の両脇下曲線部（12），（13）の下部に取付けたゴム紐であり、該ゴム紐（３）はエプロン本体（１）の重量を肩で支える役目を果たす。また前記ゴム紐（３）としては、丈夫で長期間に渡って使用可能なものを用いると良い。
【００１３】
（４）はオス部（41）とメス部（42）の２つから成る面ファスナーである。前記オス部（41）は左側の脇下曲線部（12）の下端部裏面に取付けられると共にそこから水平に突出されている。また前記メス部（42）は右側の脇下曲線部（13）の下端部表面に取付けられると共にそこから水平に突出されている（図２参照）。この面ファスナー（４）の取付長さとしては、ウエストサイズが６０ｃｍ〜１００ｃｍの範囲に調節出来るものとするのが好ましい。尚、前記面ファスナー（４）は他の形式のものでも良い。（５）はゴム紐（３）の先端に取付けた係止部であり、該係止部（５）にはオス係止部（51）とメス係止部（52）がある。このメス係止部（52）の長さはオス係止部（51）よりも長く、好ましくは２倍程度が良く、また前記係止部（５）には面ファスナーを用いる。尚、前記オス係止部（51）とメス係止部（52）の位置関係や長さを反対にして使用しても良い。また前記係止部（５）は他の形式のものでも良い。（６）はゴム紐（３）の後端（基部側）に取付けたＤ形で樹脂製の紐掛輪であり、該紐掛輪（６）の下部はゴム紐（３）の一部をエプロン本体（１）に縫付けて取付けられている。また前記紐掛輪（６）は紐掛輪（２）と同じものを逆さにして用いても良い。（７）は両脇下曲線部（12），（13）に沿うと共にその裏側に縫付けて取付けられた吊下用紐輪である。
【００１４】
次に本考案品の着用方法について説明すると、先ず始めにエプロン本体（１）を身体の前に当て、左右のゴム紐（３）を後方から肩に掛ける。そして、ゴム紐（３）の先端を紐掛輪（２）に通すと共に長さを調節しながらオス係止部（51）をメス係止部（52）に押付けて固定する。この時、ゴム紐（３）は右側からでも左側からでも自由に固定すれば良い。又、前記ゴム紐（３）をクロスさせて襷掛けとしても良い。次に面ファスナー（４）を固定する。この時は、片手にオス部（41）を持ち、他方の手にメス部（42）を持ちながら且つ前側をフィットさせて、オス部（41）をメス部（42）に押付けて固定する。するとエプロン本体（１）の表側は図３（ａ）に示すように胸から膝下の長靴の上部が隠れるように着用されるのである。またエプロン本体（１）の裏側は図３（ｂ）に示すように胴部で面ファスナー（４）が係止されてウエストサイズに対応し、エプロン本体（１）の下方は隙間を開けて着用されるので、身体にフィットすると共に動き易いものとなるのである。又、この時、本考案品はゴム紐（３）が伸びた状態で肩に取付けられるため、ゴム紐（３）は肩から容易に外れにくいものとなるのである。
【００１５】
本考案品を脱ぐ時は、面ファスナー（４）を外すだけで脱ぐことが出来るものとなる。この時、係止部（５）を外しても良いが、そのままにして置いても良い。このようにすると、本考案品を次に着用する際は、ゴム紐（３）の長さが調節されているため、面ファスナー（４）だけを係止するだけで身体にフィットするものとなり、ワンタッチの装着が可能となるのである。次にエプロン本体（１）を畳む際に、縦長な４つ折りに畳み、その後、両脇下曲線部（12），（13）に沿って設けた吊下用紐輪（７）を引出して、フックなどに前記吊下用紐輪（７）を引掛けてエプロン本体（１）が吊下されると、図４に示すような状態となる。従って、エプロン本体（１）を折畳んで吊下させることが簡単にでき、且つロッカー等に嵩張らずに収納でき、更に着用する際にも取出しが容易で着用し易いものとなるのである。
【図面の簡単な説明】
【００１６】
【図１】本考案の実施形態の要部を示す説明図である。
【図２】本考案のゴム紐と係止部材を示す説明図である。
【図３】本実施形態が着用された状態を示す説明図である。
【図４】本実施形態のエプロン本体が縦長に４つ折りされ吊下した状態を示す説明図である。
【図５】従来の実施形態の要部を示す説明図である。
【符号の説明】
【００１７】
１  エプロン本体
11  上辺部
12, 13  脇下曲線部
２  紐掛輪
３  ゴム紐
４  面ファスナー
41  オス部
42  メス部
５  係止部
51  オス係止部
52  メス係止部
６  紐掛輪
７  吊下用紐輪
【図１】
0003103612.tif 000003
【図２】
0003103612.tif 000004
【図３】
0003103612.tif 000005
【図４】
0003103612.tif 000006
【図５】
0003103612.tif 000007